(57)【要約】【課題】  簡単な構造によりオバーフロープレートでの水切れや空気吸い込み口での水膜切れを防止し未塗着塗料の捕集効率を向上した塗装ブースのフロープレート部水切れ防止構造を提供する。【解決手段】  仕切り板３を備えた洗浄水を収容するウォータチャンネル１からオバーフロープレート４を介して前記洗浄水を流下させるようにしたベンチュリー型塗装ブースにおいて、前記ウォータチャンネル１の仕切り板３とオバーフロープレート４との間に、あるいはオバーフロープレート４の面上に菱形網目の網５を設置した。【選択図】        図１
2005137989.tif 000002
【特許請求の範囲】
【請求項１】
仕切り板を備えた洗浄水を収容するウォータチャンネルからオバーフロープレートを介して前記洗浄水を流下させるようにしたベンチュリー型塗装ブースにおいて、前記ウォータチャンネルの仕切り板とオバーフロープレート部との間に、菱形網目の網を設置したことを特徴とする塗装ブースのフロープレート部水切れ防止構造。
【請求項２】
仕切り板を備えた洗浄水を収容するウォータチャンネルからオバーフロープレートを介して前記洗浄水を流下させるようにしたベンチュリー型塗装ブースにおいて、前記オバーフロープレートの面上に菱形網目の網を設置したことを特徴とする塗装ブースのフロープレート部水切れ防止構造。
【請求項３】
請求項１又は請求項２に記載の塗装ブースのフロープレート部水切れ防止構造において、網は、その鋭角部は４５°とし、鈍角部は１３５°とした菱形網目であることを特徴とする塗装ブースのフロープレート部水切れ防止構造。
【発明の詳細な説明】
【技術分野】
【０００１】
本発明は、ベンチュリー型塗装ブースにおけるフロープレート部水切れ防止構造に関するものである。
【背景技術】
【０００２】
自動車の塗装ブースは一般的に清水の洗浄水でベンチュリーを設計する。この洗浄水は図７で示すように、給水管２により仕切り板３を備えたウォータチャンネル１に溜められてオバーフロープレート４を介して前記洗浄水を流下させ、オバーフロープレート４の下端に設けられている空気吸い込み口６に気液接触させるための水膜を作っている。
【０００３】
しかしながら、清水の洗浄水であっても実際には未塗着塗料が混ざっており、オバーフロープレート４を流れる未塗着塗料が成長して塊となり、これがオバーフロープレート４に付着して水流切れや塗料ミストを含んだ空気の空気吸い込み口６で気液接触させて空気中の塗料ミストを分離除去するための水膜切れが発生しミスト捕集効率を下げている。  仕切り板３により浮遊している未塗着塗料の塊を堰き止める方法を採っているが、水中に漂っている未塗着塗料は仕切り板３の下を潜り抜けてしまいオバーフロープレート４に流出している問題があった。
【特許文献１】特開平０６−２５４４５４号公報
【特許文献１】特開２００２−２７３２９０号公報
【発明の開示】
【発明が解決しようとする課題】
【０００４】
本発明の目的は、簡単な構造によりオバーフロープレートでの水切れや空気吸い込み口での水膜切れを防止し未塗着塗料の捕集効率を向上した塗装ブースのフロープレート部水切れ防止構造を提供することである。
【課題を解決するための手段】
【０００５】
上記の目的を達成するための本発明は、請求項１に記載の通り、仕切り板を備えた洗浄水を収容するウォータチャンネルからオバーフロープレートを介して前記洗浄水を流下させるようにしたベンチュリー型塗装ブースにおいて、前記ウォータチャンネルの仕切り板とオバーフロープレート部との間に、菱形網目の網を設置したことを特徴とするものである。
【０００６】
請求項２に記載の通り、仕切り板を備えた洗浄水を収容するウォータチャンネルからオバーフロープレートを介して前記洗浄水を流下させるようにしたベンチュリー型塗装ブースにおいて、前記オバーフロープレートの面上に菱形網目の網を設置したことを特徴とする特徴とするものである。
【０００７】
請求項３に記載の通り、上記網は、その鋭角部は４５°とし、鈍角部は１３５°とした菱形網目であることを特徴とするものである。
【発明の効果】
【０００８】
本発明によると、請求項１の構造では、ウォータチャンネルからオバーフロープレートに流出する未塗着塗料の塊を網により捕集し、請求項２の構造ではウォータチャンネルからオバーフロープレートに流出した未塗着塗料の塊を網により捕集し、何れにおいてもオバーフロープレートに未塗着塗料の塊の付着を防止し、オバーフロープレートでの水切れや空気吸い込み口での水膜切れを防止して未塗着塗料の捕集効率を向上する。また、請求項３の菱形網目の網により未塗着塗料の塊の捕集が有効に得られる効果を有しているものである。
【発明を実施するための最良の形態】
【０００９】
以下本発明を実施するための最良の形態について図面に基づいて説明する。
図１は本発明の実施例１を示し、１は仕切り板３を備えた洗浄水を収容するウォータチャンネルであり、給水管２により洗浄水が給水される。４はオバーフロープレートでありウォータチャンネル１からオバーフローする洗浄水を流下させ、オバーフロープレート４の下端の空気吸い込み口６に気液接触させるための水膜７を作っている。
【００１０】
本発明の実施例１は上記の構造において、ウォータチャンネル１の仕切り板３とオバーフロープレート４との間に、図２で示すような菱形網目の網５を設置したものである。
【００１１】
本発明の実施例１は上記の通りの構造であるから、ウォータチャンネル１からオバーフロープレート４に流出する未塗着塗料の塊をオバーフロープレート４の直前で網４により捕集し、また、仕切り板３の下を潜り抜けた未塗着塗料の塊をオバーフロープレート４の直前で網４により捕集する。これにより、オバーフロープレート４に未塗着塗料の塊の付着を防止し、オバーフロープレート４での水切れや空気吸い込み口６での水膜７切れを防止して未塗着塗料の捕集効率を向上するのである。
【００１２】
図３は本発明の実施例２を示し、実施例１と同様に、１は仕切り板３を備えた洗浄水を収容するウォータチャンネルであり、給水管２により洗浄水が給水される。４はオバーフロープレートでありウォータチャンネル１からオバーフローする洗浄水を流下させ、オバーフロープレート４の下端の空気吸い込み口６に気液接触させるための水膜７を作っている。
【００１３】
本発明の実施例２は上記の構造において、前記オバーフロープレート４の面上に菱形網目の網５を設置したものである。
【００１４】
本発明の実施例２は上記の通りの構造であるから、ウォータチャンネルからオバーフロープレートに流出した未塗着塗料の塊を網５により捕集し、オバーフロープレート４に未塗着塗料の塊の付着を防止し、オバーフロープレート４での水切れを図４で示すように左右の水が補う。
【００１５】
このオバーフロープレート４の面への網５の設置は図５及び図６で示すように、オバーフロープレート４の面に対し数度の角度θを付けることが望ましい。これにより、網５
で未塗着塗料の塊を捕集しても水は網５に引っかかった未塗着塗料の塊阻害することなく流下する。
【００１６】
上記網５の菱形網目の鋭角部は４５°とし、鈍角部は１３５°としたことにより横長の部分で未塗着塗料の塊が引っかかり易く未塗着塗料の塊の捕集が有効に得られる。尚、洗浄水の流速が速い場合は前記鈍角部の角度を小さくする必要があり、洗浄水の流速に応じて適宜設定する。
【００１７】
本発明は上記のように、従来の構造を改変することなく簡単な構造と低コストによりオバーフロープレートでの水切れや空気吸い込み口６での水膜７切れを防止し未塗着塗料の捕集効率を向上した塗装ブースのフロープレート部水切れ防止が得られる利点を有している。
【図面の簡単な説明】
【００１８】
【図１】本発明実施例１示す断面図
【図２】図１のＡ矢視部の拡大詳細図
【図３】本発明実施例２示す断面図
【図４】図３のＢ矢視部の拡大詳細図
【図５】菱形網目の網を示す図
【図６】図５のＣ−Ｃ断面とＤ−Ｄ断面を示す網の設置状態を示す図
【図７】従来の構造を示す断面図
【符号の説明】
【００１９】
１    ウォータチャンネル
２    給水管
３    仕切り板
４    オバーフロープレート
５    菱形網目の網
６    空気吸い込み口
７    水膜
【図１】
2005137989.tif 000003
【図２】
2005137989.tif 000004
【図３】
2005137989.tif 000005
【図４】
2005137989.tif 000006
【図５】
2005137989.tif 000007
【図６】
2005137989.tif 000008
【図７】
2005137989.tif 000009